(57)【特許請求の範囲】
【請求項１】
個室を構成する側壁、天井材、及び、床材と、
前記床材の一部である前記個室の床面に配置される便器と、
前記側壁または前記天井材に配置され、発光することにより前記個室内を照明する第一照明装置と、
前記個室内の前記便器の上端部よりも低い位置に配置される第二照明装置であって、発光することにより前記床面を照明する第二照明装置と、
前記個室の外部の明るさを検知する検知部と、
（ｉ）前記検知部によって検知された明るさが所定の明るさ以下である場合に、前記第二照明装置を前記第一照明装置が発する光の色温度よりも低い第一色温度で発光させ、（ｉｉ）前記検知部によって検知された明るさが前記所定の明るさよりも明るい場合に、前記第二照明装置を前記第一色温度よりも高い第二色温度で発光させる制御部とを備える
個室ユニット。
【請求項２】
前記制御部は、さらに、前記検知部が検知した明るさが前記所定の明るさ以下である場合、前記検知部が検知した明るさが前記所定の明るさよりも明るい場合よりも前記第一照明装置を暗く発光させる
請求項１に記載の個室ユニット。
【請求項３】
さらに、ユーザが前記個室に出入りするための扉であって、前記ユーザによって前記個室内からロックが可能な扉と、
前記扉がロックされているか否かを検出するロック検出部とを備え、
前記制御部は、さらに、前記ロック検出部の検出結果に基づいて前記扉がロックされたと判断した場合に、前記第一照明装置及び前記第二照明装置の少なくとも一方を前記扉がロックされる前よりも明るく発光させる
請求項１または２に記載の個室ユニット。
【請求項４】
前記制御部は、さらに、前記第二照明装置を前記第一色温度で発光させているときに、前記第一照明装置及び前記第二照明装置の少なくとも一方が発する光を、所定の時間をかけて暗くする
請求項１〜３のいずれか１項に記載の個室ユニット。
【請求項５】
さらに、前記扉の開閉を検出する開閉検出部を備え、
前記第二照明装置は、さらに、紫外線を照射する照射部を有し、
前記制御部は、さらに、前記開閉検出部の検出結果、及び、前記ロック検出部の検出結果に基づいて前記扉が閉まった後、ロックされていないと判断した場合に、前記照射部に紫外線を照射させる
請求項３に記載の個室ユニット。
【請求項６】
さらに、
前記個室内に配置された鏡台と、
前記第一照明装置及び前記第二照明装置と独立して発光制御される第三照明装置であって、発光することにより前記鏡台のユーザを照明する第三照明装置とを備える
請求項１〜５のいずれか１項に記載の個室ユニット。
【請求項７】
前記第三照明装置は、複数の照明モードで発光可能であり、複数の照明モードの選択を受け付ける受付部を有する
請求項６に記載の個室ユニット。
【請求項８】
前記第三照明装置が発する光は、前記第一照明装置が発する光よりも演色性が高い
請求項６または７に記載の個室ユニット。
【請求項９】
前記個室ユニットは、移動体の内部に配置され、
前記検知部は、前記個室の外部であって、かつ、前記移動体の内部の明るさを検知する
請求項１〜８のいずれか１項に記載の個室ユニット。
【請求項１０】
請求項１〜９のいずれか１項に記載の個室ユニットを備える移動体。
【請求項１１】
個室ユニットにおける照明制御方法であって、
前記個室ユニットは、
個室を構成する側壁、天井材、及び、床材と、
前記床材の一部である前記個室の床面に配置される便器と、
前記側壁または前記天井材に配置され、発光することにより前記個室内を照明する第一照明装置と、
前記個室内の前記便器の上端部よりも低い位置に配置される第二照明装置であって、発光することにより前記床面を照明する第二照明装置とを備え、
前記照明制御方法は、
前記個室の外部の明るさを検知し、
検知された明るさが所定の明るさ以下である場合に、前記第二照明装置を前記第一照明装置が発する光の色温度よりも低い第一色温度で発光させ、
検知された明るさが前記所定の明るさよりも明るい場合に、前記第二照明装置を前記第一色温度よりも高い第二色温度で発光させる
照明制御方法。
【発明の詳細な説明】
【技術分野】
【０００１】
本発明は、移動体などの内部に設けられる個室ユニットの照明制御に関する。
【背景技術】
【０００２】
従来、航空機内で使用される照明装置が知られている。例えば、特許文献１には、航空機内を白色および非白色の光で照明するシステムが開示されている。
【先行技術文献】
【特許文献】
【０００３】
【特許文献１】特表２００５−５３７６１３号公報
【発明の概要】
【発明が解決しようとする課題】
【０００４】
長時間のフライトを行う航空機の客室内では、乗客が睡眠をとるために照明が暗くされる時間帯がある。乗客は、客室内の照明が暗いときにトイレに行くと、トイレ内の照明によって目が覚めてしまう（覚醒してしまう）場合がある。
【０００５】
本発明は、ユーザを不必要に覚醒させてしまうことを抑制することができる個室ユニット、移動体、及び、照明制御方法を提供する。
【課題を解決するための手段】
【０００６】
本発明の一態様に係る個室ユニットは、個室を構成する側壁、天井材、及び、床材と、前記床材の一部である前記個室の床面に配置される便器と、前記側壁または前記天井材に配置され、発光することにより前記個室内を照明する第一照明装置と、前記個室内の前記便器の上端部よりも低い位置に配置される第二照明装置であって、発光することにより前記床面を照明する第二照明装置と、前記個室の外部の明るさを検知する検知部と、（ｉ）前記検知部によって検知された明るさが所定の明るさ以下である場合に、前記第二照明装置を前記第一照明装置が発する光の色温度よりも低い第一色温度で発光させ、（ｉｉ）前記検知部によって検知された明るさが前記所定の明るさよりも明るい場合に、前記第二照明装置を前記第一色温度よりも高い第二色温度で発光させる制御部とを備える。
【０００７】
本発明の一態様に係る移動体は、前記個室ユニットを備える。
【０００８】
本発明の一態様に係る照明制御方法は、個室ユニットにおける照明制御方法であって、前記個室ユニットは、個室を構成する側壁、天井材、及び、床材と、前記床材の一部である前記個室の床面に配置される便器と、前記側壁または前記天井材に配置され、発光することにより前記個室内を照明する第一照明装置と、前記個室内の前記便器の上端部よりも低い位置に配置される第二照明装置であって、発光することにより前記床面を照明する第二照明装置とを備え、前記照明制御方法は、前記個室の外部の明るさを検知し、検知された明るさが所定の明るさ以下である場合に、前記第二照明装置を前記第一照明装置が発する光の色温度よりも低い第一色温度で発光させ、検知された明るさが前記所定の明るさよりも明るい場合に、前記第二照明装置を前記第一色温度よりも高い第二色温度で発光させる。
【発明の効果】
【０００９】
本発明の個室ユニット、移動体、及び、照明制御方法によれば、ユーザを不必要に覚醒させてしまうことを抑制することができる。
【図面の簡単な説明】
【００１０】
【図１Ａ】図１Ａは、実施の形態に係る個室ユニットの、上方から見た内部構造を示す図である。
【図１Ｂ】図１Ｂは、実施の形態に係る個室ユニットの、側方から見た内部構造を示す図である。
【図２】図２は、実施の形態に係る個室ユニットの機能構成を示すブロック図である。
【図３】図３は、個室の外部の明るさに応じて照明モードを切り替える発光制御のフローチャートである。
【図４Ａ】図４Ａは、非覚醒モードの照明制御を示す模式図である。
【図４Ｂ】図４Ｂは、覚醒モードの照明制御を示す模式図である。
【図５】図５は、色温度の制御により得られる効果を説明するための図である。
【図６】図６は、照明装置が発する光を、所定の時間をかけて暗くする制御を説明するための図である。
【図７】図７は、扉のロックに応じた照明制御のフローチャートである。
【図８】図８は、紫外線の照射制御のフローチャートである。
【図９Ａ】図９Ａは、第一の変形例に係る個室ユニットの、上方から見た内部構造を示す図である。
【図９Ｂ】図９Ｂは、第一の変形例に係る個室ユニットの、側方から見た内部構造を示す図である。
【図１０Ａ】図１０Ａは、第二の変形例に係る個室ユニットの、上方から見た内部構造を示す図である。
【図１０Ｂ】図１０Ｂは、第二の変形例に係る個室ユニットの、側方から見た内部構造を示す図である。
【図１１Ａ】図１１Ａは、第三の変形例に係る個室ユニットの、上方から見た内部構造を示す図である。
【図１１Ｂ】図１１Ｂは、第三の変形例に係る個室ユニットの、側方から見た内部構造を示す図である。
【図１２】図１２は、航空機の外観図である。
【発明を実施するための形態】
【００１１】
以下、実施の形態について、図面を参照しながら説明する。なお、以下で説明する実施の形態は、いずれも包括的または具体的な例を示すものである。以下の実施の形態で示される数値、形状、材料、構成要素、構成要素の配置位置及び接続形態、ステップ、ステップの順序などは、一例であり、本発明を限定する主旨ではない。また、以下の実施の形態における構成要素のうち、最上位概念を示す独立請求項に記載されていない構成要素については、任意の構成要素として説明される。
【００１２】
なお、各図は模式図であり、必ずしも厳密に図示されたものではない。また、各図において、実質的に同一の構成に対しては同一の符号を付しており、重複する説明は省略または簡略化される場合がある。
【００１３】
（実施の形態）
［構成］
まず、実施の形態に係る個室ユニットの構成について説明する。図１Ａは、実施の形態に係る個室ユニットの、上方から見た内部構造を示す図である。図１Ｂは、実施の形態に係る個室ユニットの、側方から見た内部構造を示す図である。図２は、実施の形態に係る個室ユニットの機能構成を示すブロック図である。
【００１４】
図１Ａ、図１Ｂ、及び、図２に示されるように、実施の形態に係る個室ユニット１００は、航空機などの移動体の内部に配置されるトイレユニットである。個室ユニット１００は、典型的には、屋内に配置される。個室ユニット１００は、例えば、建物の内部に配置されてもよい。
【００１５】
個室ユニット１００は、個室を構成する側壁１１、天井材１２、及び、床材１３と、便器２０と、第一照明装置３１と、第二照明装置３２と、第三照明装置３３と、検知部４０と、制御部５０と、扉６０と、扉検出部６５と、鏡台７０とを備える。
【００１６】
側壁１１、天井材１２、及び、床材１３のそれぞれは、矩形板状の部材であり、側壁１１、天井材１２、及び、床材１３は、略直方体状の個室を形成する。個室は、具体的には、側壁１１が有する壁面と、天井材１２が有する天井面と、床材１３が有する床面とに囲まれた空間である。
【００１７】
側壁１１、天井材１２、及び、床材１３は、例えば、ポリエチレン樹脂またはＦＲＰ（Ｆｉｂｅｒ  Ｒｅｉｎｆｏｒｃｅｄ  Ｐｌａｓｔｉｃｓ）などの樹脂によって形成されるが、金属によって形成されてもよく、特に限定されない。
【００１８】
扉６０は、ユーザが個室に出入りするための扉であって、ユーザによって個室内からロックが可能な扉である。扉６０は、矩形板状の部材である。扉６０は、例えば、ポリエチレン樹脂またはＦＲＰなどの樹脂によって形成されるが、金属によって形成されてもよく、特に限定されない。
【００１９】
扉検出部６５は、ロック検出部の一例であって、扉６０がロックされているか否かを検出する。扉検出部６５は、例えば、扉６０をロックする機構が働いているか否かを構造的または光学的に検出するセンサを有する。また、扉検出部６５は、例えば、扉６０がロックされているときにハイレベルとなり、扉６０がロックされていないときにローレベルとなる第一デジタル信号を検出結果として出力する。なお、第一デジタル信号の論理は、逆であってもよい。
【００２０】
また、扉検出部６５は、開閉検出部の一例であって、扉６０の開閉を検出する。扉検出部６５は、例えば、赤外線により扉６０の開閉を検出するドアセンサを有するが、その他のセンサによって扉６０の開閉を検出してもよい。また、扉検出部６５は、例えば、扉６０が開いているときにハイレベルとなり、扉６０が閉じているときにローレベルとなる第二デジタル信号を検出結果として出力する。なお、第二デジタル信号の論理は、逆であってもよい。
【００２１】
扉検出部６５は、例えば、側壁１１（側壁１１の内部）に配置されるが、扉検出部６５の配置は特に限定されない。
【００２２】
便器２０は、ユーザが用を足すための衛生器具である。便器２０は、床材１３の一部（上面）である個室の床面に配置される。便器２０は、陶器または樹脂により形成される。便器２０は、洋式であってもよいし、和式であってもよい。便器２０の洗浄方式は、水洗式（循環式）であってもよいし、バキューム式であってもよい。便器２０の具体的態様は、特に限定されない。
【００２３】
第一照明装置３１は、側壁１１または天井材１２に配置される照明装置である。第一照明装置３１は、いわゆる主照明（直接照明）であり、発光することにより個室内全体を照明する。第一照明装置３１は、例えば、天井材１２に埋め込まれるダウンライトであるが、天井材の一部（下面）である天井面、または、側壁１１の一部である内壁面に取り付けられるスポットライトなどその他の照明装置であってもよい。また、第一照明装置３１は、側壁１１（内壁面）に配置される場合には、ライン型の照明装置であってもよい。第一照明装置３１は、制御部５０によって、第二照明装置３２とは独立して発光制御される。第一照明装置３１は、具体的には、発光部３１ａを有する。
【００２４】
発光部３１ａは、例えば、発光素子としてＬＥＤ（Ｌｉｇｈｔ  Ｅｍｉｔｔｉｎｇ  Ｄｉｏｄｅ）が用いられた発光モジュールであり、白色光を発する。また、発光部３１ａは、制御部５０によって調光制御（明るさの制御）が可能である。
【００２５】
発光部３１ａが発する白色光の色温度は、例えば、５０００Ｋであるが、特に限定されない。発光部３１ａは、例えば、調色制御が不可能な発光モジュールであるが、調色制御が可能な発光モジュールであってもよい。
【００２６】
第二照明装置３２は、個室内の、便器２０の上端部よりも低い位置に配置される照明装置である。なお、便器２０の上端部は、便器２０が蓋を有する場合には、当該蓋が開いているときの上端部（蓋の上端部）を意味する。第二照明装置３２は、いわゆる副照明（間接照明）であり、発光することにより床面を照明する。第二照明装置３２は、制御部５０によって、第一照明装置３１とは独立して発光制御される。第二照明装置３２は、具体的には、発光部３２ａと、ＵＶ照射部３２ｂとを有する。
【００２７】
発光部３２ａは、例えば、発光素子としてＬＥＤが用いられた発光モジュールであり、白色光を発する。発光部３２ａは、互いに発光色（色温度）が異なる複数の種類の光源を有し、調光制御および調色制御（発光色の制御）が可能な発光モジュールである。なお、発光部３２ａは、後述する第一色温度及び第二色温度で発光できればよく、無段階の調色制御は必須ではない。
【００２８】
ＵＶ（Ｕｌｔｒａｖｉｏｌｅｔ）照射部３２ｂは、紫外線を照射する。ＵＶ照射部３２ｂは、例えば、紫外線ＬＥＤ、または紫外線ランプなどによって構成される。紫外線は、個室内の除菌（殺菌）などに用いられる。なお、ＵＶ照射部３２ｂは、第二照明装置３２とは別体の照射装置として実現されてもよい。
【００２９】
第三照明装置３３は、鏡台７０の上方に配置され、発光することにより鏡台７０のユーザを照明する作業用の照明装置である。第三照明装置３３は、第一照明装置３１及び第二照明装置３２と独立して発光制御される。これにより、ユーザは、第一照明装置３１及び第二照明装置３２の発光状態に関係なく、第三照明装置３３を自由に使用することができる。第三照明装置３３の発光制御は、例えば、第三照明装置３３が有する制御部（図示せず）によって行われるが、制御部５０によって行われてもよい。
【００３０】
第三照明装置３３が発する光は、第一照明装置３１が発する光よりも演色性（演色評価数、ＣＲＩ：Ｃｏｌｏｒ  Ｒｅｎｄｅｒｉｎｇ  Ｉｎｄｅｘ）が高いとよい。これにより、鏡台７０のユーザに高い色の再現性を提供することができる。演色性の高い光を発する第三照明装置３３は、鏡台７０を使用してメークアップを行うユーザに適している。第三照明装置３３は、具体的には、発光部３３ａと、受付部３３ｂとを有する。
【００３１】
発光部３３ａは、例えば、発光素子としてＬＥＤが用いられた発光モジュールであり、白色光を発する。発光部３３ａは、互いに発光色（色温度）が異なる複数の種類の光源を有し、複数（少なくとも２種類）の照明モードで発光が可能な発光モジュールである。
【００３２】
受付部３３ｂは、第三照明装置３３のオン及びオフの指示、並びに、第三照明装置３３の複数の照明モードの選択をユーザから受け付ける。受付部３３ｂは、具体的には、タッチパネルまたは押しボタンなどのユーザインターフェースである。受付部３３ｂによれば、ユーザは第三照明装置３３の照明モードを選択することができる。
【００３３】
複数の照明モードは、例えば、ユーザがビジネス用のメークアップを行うために発光色が最適化された第一照明モードと、ユーザがプライベート用のメークアップを行うために発光色が最適化された第二照明モードとを含む。これにより、鏡台７０のユーザは、シーンに応じて思い通りのメークアップを楽しむことができる。
【００３４】
鏡台７０は、ユーザのメークアップ、または、手洗いなどに使用される化粧洗面台である。鏡台７０は、手洗器及び鏡を有する。
【００３５】
検知部４０は、個室（個室ユニット１００）の外部の明るさを検知する。検知部４０は、より詳細には、個室の外部であって、かつ、移動体の内部（移動体が航空機である場合には、客室）の明るさを検知する。つまり、検知部４０は、屋外ではなく屋内（建物または移動体の中）の明るさを検知する。
【００３６】
検知部４０は、例えば、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）センサまたはＲＧＢセンサなどを含む撮像部を有し、個室の外部を撮像することにより明るさを検知する。また、検知部４０は、照度センサ等を有し、照度センサによって明るさを検知してもよい。検知部４０は、例えば、天井材１２に配置されるが、検知部４０の配置は特に限定されない。検知部４０は、個室と離れて配置されてもよい。
【００３７】
また、検知部４０は、個室の外部の明るさを直接的に検知するのではなく、間接的に検知してもよい。例えば、検知部４０は、個室の外部の照明装置の明るさを制御するためのＰＷＭ（Ｐｕｌｓｅ  Ｗｉｄｔｈ  Ｍｏｄｕｌａｔｉｏｎ）信号、または、個室の外部の照明装置に流れる電流値等を取得（モニタ）し、取得した情報に基づいて間接的に明るさを検知してもよい。
【００３８】
また、検知部４０は、例えば、検知した明るさに応じた電流または電圧を検知結果として出力する。検知部４０は、上述したセンサの他に、プロセッサ、マイクロコンピュータ、または専用回路などを含んで構成されてもよい。
【００３９】
制御部５０は、第一照明装置３１、及び、第二照明装置３２の発光制御を行う制御装置である。制御部５０は、さらに、第三照明装置３３の発光制御を行ってもよい。制御部５０は、例えば、天井材１２に配置されるが、制御部５０の配置は特に限定されない。
【００４０】
制御部５０は、具体的には、プロセッサ、マイクロコンピュータ、または専用回路などによって実現される。また、制御部５０は、プロセッサ、マイクロコンピュータ、及び専用回路の組み合わせによって実現されてもよい。
【００４１】
［一般的な照明制御の課題］
次に、一般的な照明制御の課題について説明する。例えば、個室内にユーザがいるかどうかに基づいて照明モードを切り替える照明制御が考えられる。制御部５０は、例えば、扉検出部６５によって扉６０がロックされていると検出されているときには、個室内に人がいると判断する。この場合、制御部５０は、第一照明装置３１及び第二照明装置３２を明るく発光（全灯）させる。
【００４２】
一方、制御部５０は、例えば、扉検出部６５によって扉６０がロックされていないと検出されているときには、個室内に人がいないと判断する。この場合、制御部５０は、第一照明装置３１を暗めに発光させ、かつ、第二照明装置３２を消灯する。
【００４３】
このような一般的な照明制御には、以下のような課題がある。例えば、個室内が明るく、個室の外が比較的暗い場合、ユーザが個室内から個室の外に移動すると、個室の外部の暗さに順応するまでに時間がかかる。そうすると、ユーザは、暗さを感じたまま移動するため、転倒及び衝突の恐れが生じる。また、個室の外が比較的暗い場合に、ユーザが個室に入って明るい光を浴びると、ユーザが不必要に覚醒してしまう場合がある。
【００４４】
［照明制御の詳細］
そこで、制御部５０は、個室の外部の明るさに応じて照明モードを切り替える制御（照明制御）を行う。図３は、照明制御のフローチャートである。
【００４５】
検知部４０は、個室の外部の明るさを検知する（Ｓ１１）。制御部５０は、検知した明るさが所定の明るさよりも明るいか否かを判断する（Ｓ１２）。制御部４０は、具体的には、検知部４０によって出力される電圧または電流が所定の明るさよりも明るいことを示す値であるかを判断する。このような判断は、検知部４０によって行われてもよい。なお、所定の明るさは、照明モードを切り替えるための閾値として経験的または実験的に適宜定められればよい。
【００４６】
ステップＳ１２において、検知部４０によって検知された明るさが所定の明るさ以下であると判断される場合（Ｓ１２でＮｏ）、ユーザが睡眠をとるために個室の外が暗くされていると推定される。そこで、制御部５０は、ユーザの覚醒度を低下させるための非覚醒モードの照明制御を行う。図４Ａは、非覚醒モードの照明制御を示す模式図である。
【００４７】
図４Ａに示されるように、非覚醒モードの照明制御（以下、単に非覚醒モードとも記載する）において、制御部５０は、具体的には、第一照明装置３１を覚醒モードの照明制御（以下、単に覚醒モードとも記載する）よりも暗く発光させる（Ｓ１３）。つまり、制御部５０は、検知部４０が検知した明るさが所定の明るさ以下である場合、検知部４０が検知した明るさが所定の明るさよりも明るい場合よりも第一照明装置３１を暗く発光させる。
【００４８】
そして、制御部５０は、第二照明装置３２を第一照明装置３１が発する光の色温度よりも低い第一色温度で発光させる（Ｓ１４）。第一色温度は、例えば、３０００Ｋであるが、第一照明装置３１が発する光の色温度よりも低ければよい。
【００４９】
なお、第一照明装置３１が調色制御可能な照明装置である場合、第一色温度は、非覚醒モード中に第一照明装置３１が発する光の色温度よりも低ければよい。また、このような場合、第一色温度は、第一照明装置３１の規定色温度より低くてもよい。例えば、第一照明装置３１の色温度が３０００Ｋ以上５０００Ｋ以下の範囲で調色制御されるときには、規定色温度は、中間値である４０００Ｋとされてもよいし、最大値である５０００Ｋとされてもよいし、最小値である３０００Ｋとされてもよい。
【００５０】
一方、ステップＳ１２において、制御部５０は、検知部４０によって検知された明るさが所定の明るさよりも明るいと判断した場合（Ｓ１２でＹｅｓ）、ユーザの覚醒度が高まることを抑制する必要はなく、逆に、ユーザの覚醒度を高めた方がよいとも考えられる。このため、制御部５０は、ユーザの覚醒度の低下を抑制するための覚醒モードの照明制御を行う。図４Ｂは、覚醒モードの照明制御を示す模式図である。
【００５１】
図４Ｂに示されるように、覚醒モードにおいて、制御部５０は、具体的には、第一照明装置３１を非覚醒モードよりも明るく発光させる（Ｓ１５）。言い換えれば、制御部５０は、第一照明装置３１の光出力を非覚醒モードよりも増大させる。そして、制御部５０は、第二照明装置３２を第一色温度よりも高い第二色温度で発光させる（Ｓ１６）。第二色温度は、例えば、５０００Ｋであるが、第一色温度よりも高ければよい。
【００５２】
［効果等］
非覚醒モードにおいて第二照明装置３２が発する光の色温度は、覚醒モードにおいて第一照明装置３１が発する光の色温度よりも低い。このような色温度の制御により得られる効果について説明する。図５は、色温度の制御により得られる効果を説明するための図である。
【００５３】
図５は、８名を被験者として個室に入る前後の覚醒度を計測し、平均値をプロットした図である。図５では、平均値に加えて最大値及び最小値もプロットされている。図５において、縦軸は覚醒度であり、横軸は時間である。覚醒度は、個室内の照明の色温度が３０００Ｋである場合と、５０００Ｋである場合とのそれぞれについて計測された。また、覚醒度は、個室内の照明の照度が３０ｌｘである場合と１５０ｌｘである場合とのそれぞれについて計測された。なお、覚醒度は、被験者の脳波の中心周波数によって定まり、脳波の中心周波数が高いほど覚醒度は高い。
【００５４】
図５は、照度よりも色温度のほうが覚醒度に及ぼす影響が大きいことを示している。具体的には、色温度が３０００Ｋのときのほうが、色温度が５０００Ｋのときよりも覚醒度が低下する傾向がある。
【００５５】
また、個室内の便器２０を使用するユーザは、下方を向くことが多い。このため、非覚醒モードにおいては、制御部５０は、第二照明装置３２が発する光の色温度を、第一照明装置３１が発する光の色温度よりも低い第一色温度にすることで、効果的に覚醒度を低下させている。
【００５６】
一方で、覚醒モードにおいては、覚醒度が高まることを抑制する必要はなく、むしろユーザを覚醒させた方がよい場合もある。そこで、覚醒モードにおいては、制御部５０は、第二照明装置３２が発する光の色温度を、非覚醒モードよりも高い第二色温度にしている。これにより、覚醒度の低下が抑制される。
【００５７】
以上説明したように、制御部５０は、非覚醒モードにおいて、第二照明装置３２を第一照明装置３１が発する光の色温度よりも低い第一色温度で発光させる。また、制御部５０は、覚醒モードにおいて、第二照明装置３２を第一色温度よりも高い第二色温度で発光させる。
【００５８】
これにより、個室ユニット１００は、ユーザを不必要に覚醒させてしまうことを抑制することができる。例えば、個室ユニット１００が航空機内に設けられれば、ユーザは、個室から客室に戻ってからもぐっすり眠ることができ、快適な空の旅を楽しむことができる。
【００５９】
また、非覚醒モードにおいて、制御部５０は、具体的には、第一照明装置３１を覚醒モードよりも暗く発光させる。
【００６０】
これにより、個室の外が暗い場合に、第一照明装置３１も暗めに発光するため、ユーザが個室内から個室の外に移動したときに、ユーザが個室の外の暗さに順応しやすくなる。したがって、ユーザが転倒及び衝突する危険性が低減される。言い換えれば、安全性が高められる。
【００６１】
また、制御部５０は、さらに、非覚醒モード（第二照明装置３２が第一色温度で発光しているとき）において、第一照明装置３１及び第二照明装置３２の少なくとも一方が発する光を、所定の時間をかけて暗くしてもよい。言い換えれば、制御部５０は、さらに、非覚醒モードにおいて、第一照明装置３１及び第二照明装置３２の少なくとも一方の光出力を、所定の時間をかけて低下させてもよい。図６は、照明装置が発する光を、所定の時間をかけて暗くする制御を説明するための図である。
【００６２】
図６では、非覚醒モードの開始時点を０として、第一照明装置３１または第二照明装置３２が発する光の明るさの時間変化を示している。
【００６３】
非覚醒モードにおいて、開始当初から個室内が暗すぎると、ユーザが便器２０または鏡台７０に衝突するなどの危険性がある。一方で、非覚醒モードにおいて、開始当初から個室内が明るすぎると、上述のようにユーザが個室の外の暗さに順応しにくくなる。
【００６４】
そこで、制御部５０は、図６に示されるように、非覚醒モードの開始後、第一照明装置３１及び第二照明装置３２の少なくとも一方が発する光を、所定の時間Ｔをかけて暗くする。所定の時間Ｔは、例えば、５秒以上１分未満の長さの時間であるが、特に限定されない。これにより、非覚醒モードの序盤は個室内の明るさが確保されるため安全性が高められ、非覚醒モードの終盤は個室内が暗くなるためユーザが外の暗さに順応しやすくなる。
【００６５】
なお、制御部５０は、第一照明装置３１が発する光のみ、所定の時間をかけて暗くしてもよいし、第二照明装置３２が発する光のみ、所定の時間をかけて暗くしてもよい。また、制御部５０は、第一照明装置３１が発する光及び第二照明装置３２が発する光の両方を、所定の時間をかけて暗くしてもよい。
【００６６】
また、制御部５０は、第一照明装置３１が発する光及び第二照明装置３２が発する光の両方を暗くする場合、第一照明装置３１及び第二照明装置３２を、同時に減光開始してもよいし、第一照明装置３１が発する光及び第二照明装置３２が発する光の一方を他方よりも先に減光開始してもよい。また、減光開始のタイミングは特に限定されず、例えば、非覚醒モードの照明制御の開始と同時に減光が開始されてもよい。
【００６７】
また、第一照明装置３１が発する光及び第二照明装置３２が発する光は、図６において実線で示されるように線形に暗くなってもよいし、図６において破線で示されるように、例えば、視細胞の反応に対応したカーブ（曲線）を描いて暗くなってもよい。 
【００６８】
［他の制御例１］
以下、上述した照明制御とは異なる他の制御について説明する。
【００６９】
制御部５０は、扉検出部６５の検出結果に基づいて扉６０がロックされたと判断した場合に、第一照明装置３１及び第二照明装置３２の少なくとも一方を扉６０がロックされる前よりも明るく発光させてもよい。図７は、このような扉６０のロックに応じた照明制御のフローチャートである。
【００７０】
まず、扉検出部６５は、扉６０の状態を検出する（Ｓ２１）。上述のように、扉検出部６５は、具体的には、扉６０がロックされているか否かを検出し、扉６０がロックされているか否かに応じて論理が異なる第一デジタル信号を検出結果として出力する。
【００７１】
制御部５０は、扉検出部６５の検出結果に基づいて、扉６０がロックされたか否かを判断する（Ｓ２２）。制御部５０は、扉６０がロックされたと判断した場合（Ｓ２２でＹｅｓ）、第一照明装置３１及び第二照明装置３２の少なくとも一方を、扉６０がロックされる前よりも明るく発光させる（Ｓ２３）。扉６０がロックされていない場合には（Ｓ２２でＮｏ）、扉６０の状態の検出が継続される。
【００７２】
なお、制御部５０は、第一照明装置３１が発する光のみ明るくしてもよいし、第二照明装置３２が発する光のみ明るくしてもよい。また、制御部５０は、第一照明装置３１が発する光及び第二照明装置３２が発する光の両方を明るくしてもよい。
【００７３】
扉６０がロックされていない期間は、個室内にユーザがいないと推定される期間であり、個室内を明るく照明する必要がないと考えられる期間である。制御部５０の、扉６０のロックに応じた照明制御によれば、このような期間に、第一照明装置３１及び第二照明装置３２を暗くする、または、消灯することができる。つまり、第一照明装置３１及び第二照明装置３２の不必要な発光を減らすことにより、個室ユニット１００の省エネルギー化が実現される。
【００７４】
［他の制御例２］
制御部５０は、扉検出部６５の検出結果に基づいて、扉６０が閉まった後、ロックされていないと判断した場合に、ＵＶ照射部３２ｂに紫外線を照射させてもよい。図８は、このような紫外線の照射制御のフローチャートである。
【００７５】
まず、扉検出部６５は、扉６０の状態を検出する（Ｓ３１）。上述のように、扉検出部６５は、具体的には、扉６０がロックされているか否かを検出し、扉６０がロックされているか否かに応じて論理が異なる第一デジタル信号を検出結果として出力する。また、扉検出部６５は、扉６０の開閉状態に応じて論理が異なる第二デジタル信号を検出結果として出力する。
【００７６】
制御部５０は、扉検出部６５の検出結果に基づいて、扉６０が閉まった後、扉６０がロックされないまま所定期間が経過したか否かを判断する（Ｓ３２）。制御部５０は、扉６０が閉まった後、ロックされないまま所定期間が経過したと判断した場合（Ｓ３２でＹｅｓ）、つまり、扉６０が閉まった後、ロックされていないと判断した場合、ＵＶ照射部３２ｂに紫外線を照射させる（Ｓ３３）。
【００７７】
一方、扉６０が閉まった後、所定期間が経過する前に扉がロックされた場合には（Ｓ３２でＮｏ）、制御は終了される。つまり、制御部５０は、ＵＶ照射部３２ｂに紫外線を照射させない。
【００７８】
ＵＶ照射部３２ｂによる紫外線の照射は、個室内の除菌（殺菌）のために行われる。一方で、紫外線は有害であるため、ＵＶ照射部３２ｂによる紫外線の照射が個室内にユーザがいるときに行われると危険である。同様に、扉６０が開いたままＵＶ照射部３２ｂによる紫外線の照射が行われることも危険である。
【００７９】
ここで、扉６０が閉まっており、かつ、ロックされていないと検出された場合は、個室内にユーザがいない（退出した）状態で、扉６０が閉まっていると推定される場合である。制御部５０は、このような場合にＵＶ照射部３２ｂに紫外線を照射させるため、安全に個室内を除菌することができる。また、制御部５０は、上記所定期間の経過を紫外線の照射の要件とすることで、個室内にユーザがいるときに誤って紫外線が照射されることが抑制されるため、さらに安全性を高めることができる。
【００８０】
［第二照明装置の配置の変形例］
上記実施の形態で説明された第二照明装置（第二照明装置３２）の配置は、一例であり、特に限定されない。以下、第二の照明装置の配置の変形例について説明する。図９Ａは、第一の変形例に係る個室ユニットの、上方から見た内部構造を示す図である。図９Ｂは、第一の変形例に係る個室ユニットの、側方から見た内部構造を示す図である。
【００８１】
図９Ａ及び図９Ｂに示される個室ユニット１００ａは、第二照明装置１３２ａ及び第二照明装置１３２ｂを備える。第二照明装置１３２ａ及び第二照明装置１３２ｂのそれぞれは、側壁１１のうち、便器２０の側方に位置する部分に配置される。第二照明装置１３２ａ及び第二照明装置１３２ｂは、水平方向において、便器２０を挟むように配置される。第二照明装置１３２ａ及び第二照明装置１３２ｂは、便器２０の上端部よりも低い位置に配置される。
【００８２】
また、図１０Ａは、第二の変形例に係る個室ユニットの、上方から見た内部構造を示す図である。図１０Ｂは、第二の変形例に係る個室ユニットの、側方から見た内部構造を示す図である。
【００８３】
図１０Ａ及び図１０Ｂに示される個室ユニット１００ｂは、長尺状の第二照明装置２３２を備える。第二照明装置２３２は、当該第二照明装置２３２の長手方向が水平方向に沿うように、側壁１１のうち、便器２０の後方に位置する部分に配置される。第二照明装置２３２は、便器２０の上端部よりも低い位置に配置される。
【００８４】
また、図１１Ａは、第三の変形例に係る個室ユニットの、上方から見た内部構造を示す図である。図１１Ｂは、第三の変形例に係る個室ユニットの、側方から見た内部構造を示す図である。
【００８５】
図１１Ａ及び図１１Ｂに示される個室ユニット１００ｃは、第二照明装置３３２ａ及び第二照明装置３３２ｂを備える。第二照明装置３３２ａ及び第二照明装置３３２ｂのそれぞれは、側壁１１のうち、便器２０の後方に位置する部分に配置される。第二照明装置３３２ａ及び第二照明装置３３２ｂは、水平方向に離れて配置される。第二照明装置３３２ａ及び第二照明装置３３２ｂは、便器２０の上端部よりも低い位置に配置される。
【００８６】
以上説明された個室ユニット１００ａ、個室ユニット１００ｂ、及び、個室ユニット１００ｃにおいても、制御部５０が上述の照明制御を行うことによって、ユーザを不必要に覚醒させてしまうことを抑制することができる。
【００８７】
［まとめ］
以上説明したように、個室ユニット１００は、個室を構成する側壁１１、天井材１２、及び、床材１３と、床材１３の一部である個室の床面に配置される便器２０と、側壁１１または天井材１２に配置され、発光することにより個室内を照明する第一照明装置３１とを備える。また、個室ユニット１００は、個室内の便器２０の上端部よりも低い位置に配置される第二照明装置３２であって、発光することにより床面を照明する第二照明装置３２と、個室の外部の明るさを検知する検知部４０と、制御部５０とを備える。制御部５０は、検知部４０によって検知された明るさが所定の明るさ以下である場合に、第二照明装置３２を第一照明装置３１が発する光の色温度よりも低い第一色温度で発光させる。制御部５０は、検知部４０によって検知された明るさが所定の明るさよりも明るい場合に、第二照明装置３２を第一色温度よりも高い第二色温度で発光させる。
【００８８】
これにより、第二照明装置３２は、個室ユニット１００の外が暗いときに、覚醒度を低下させる第一色温度の光を発するため、ユーザを不必要に覚醒させてしまうことが抑制される。例えば、個室ユニット１００が航空機内に設けられれば、ユーザは、個室から客室に戻ってからもぐっすり眠ることができ、快適な空の旅を楽しむことができる。
【００８９】
また、制御部５０は、さらに、検知部４０が検知した明るさが所定の明るさ以下である場合、検知部４０が検知した明るさが所定の明るさよりも明るい場合よりも第一照明装置３１を暗く発光させてもよい。
【００９０】
これにより、個室の外が暗い場合に、第一照明装置３１が暗めに発光するため、ユーザは、個室内から個室の外に移動したときに個室の外の暗さに順応しやすくなる。したがって、ユーザが転倒及び衝突する危険性が低減される。言い換えれば、安全性が高められる。
【００９１】
また、個室ユニット１００は、さらに、ユーザが個室に出入りするための扉６０であって、ユーザによって個室内からロックが可能な扉６０と、扉６０がロックされているか否かを検出する扉検出部６５とを備えてもよい。扉検出部６５は、ロック検出部の一例である。このとき、制御部５０は、さらに、扉検出部６５の検出結果に基づいて扉６０がロックされたと判断した場合に、第一照明装置３１及び第二照明装置３２の少なくとも一方を扉６０がロックされる前よりも明るく発光させてもよい。
【００９２】
これにより、個室内に人がいないと推定される期間に、第一照明装置３１及び第二照明装置３２の不必要な発光を減らすことができるため、個室ユニット１００の省エネルギー化が実現される。
【００９３】
また、制御部５０は、さらに、第二照明装置３２を第一色温度で発光させているときに、第一照明装置３１及び第二照明装置３２の少なくとも一方が発する光を、所定の時間をかけて暗くしてもよい。
【００９４】
これにより、第二照明装置３２が第一色温度で発光しているときに、序盤は個室内の明るさが確保されるため安全性が高められ、終盤は個室内が暗くなるためユーザが外の暗さに順応しやすくなる。
【００９５】
また、個室ユニット１００は、さらに、扉６０の開閉を検出する扉検出部６５を備え、第二照明装置３２は、さらに、紫外線を照射するＵＶ照射部３２ｂを有してもよい。扉検出部６５は、開閉検出部の一例である。このとき、制御部５０は、さらに、扉検出部６５の検出結果に基づいて扉６０が閉まった後ロックされていないと判断した場合に、ＵＶ照射部３２ｂに紫外線を照射させてもよい。
【００９６】
これにより、個室内にユーザがいない状態で、扉６０が閉まっていると推定される場合に紫外線が照射されるため、安全に個室内を除菌することができる。
【００９７】
また、個室ユニット１００は、さらに、個室内に配置された鏡台７０と、第一照明装置３１及び第二照明装置３２と独立して発光制御される第三照明装置３３であって、発光することにより鏡台７０のユーザを照明する第三照明装置３３とを備えてもよい。
【００９８】
これにより、鏡台７０のユーザは、第一照明装置３１及び第二照明装置３２の発光状態に関係なく、第三照明装置３３を自由に使用することができる。
【００９９】
また、第三照明装置３３は、複数の照明モードで発光可能であり、複数の照明モードの選択を受け付ける受付部３３ｂを有してもよい。
【０１００】
これにより、ユーザは第三照明装置３３の照明モードを選択することができる。
【０１０１】
また、第三照明装置３３が発する光は、第一照明装置３１が発する光よりも演色性が高くてもよい。
【０１０２】
これにより、鏡台７０のユーザに高い色の再現性を提供することができる。
【０１０３】
また、個室ユニット１００は、移動体の内部に配置され、検知部４０は、個室の外部であって、かつ、移動体の内部の明るさを検知してもよい。
【０１０４】
これにより、個室ユニット１００は、個室の外部であって、かつ、移動体の内部の明るさに基づいて照明制御を行うことができる。
【０１０５】
また、上記実施の形態に係る照明制御方法は、個室ユニット１００における照明制御方法である。照明制御方法は、個室の外部の明るさを検知し、検知された明るさが所定の明るさ以下である場合に、第二照明装置３２を第一照明装置３１が発する光の色温度よりも低い第一色温度で発光させる。また、照明制御方法は、検知された明るさが所定の明るさよりも明るい場合に、第二照明装置３２を第一色温度よりも高い第二色温度で発光させる。照明制御方法は、例えば、検知部４０（センサ）及び制御部５０（プロセッサ）を含む制御装置等によって実行される。
【０１０６】
これにより、個室ユニット１００の外が暗いときに、第二照明装置３２が覚醒度の低下を促進する第一色温度の光を発するため、ユーザを不必要に覚醒させてしまうことが抑制される。例えば、個室ユニット１００が航空機内に設けられれば、ユーザは、個室から客室に戻ってからも快適に眠ることができる。
【０１０７】
（その他の実施の形態）
以上、実施の形態に係る個室ユニット、及び、照明制御方法について説明したが、本発明は、上記実施の形態に限定されない。
【０１０８】
例えば、上記実施の形態で説明された発光部は、ＬＥＤにより構成されたが、このような構成は、一例である。発光部には、蛍光管、メタルハライドランプ、ナトリウムランプ、ハロゲンランプ、キセノンランプ、または、ネオン管等が用いられてもよい。また、発光部には、無機エレクトロルミネッセンス、有機エレクトロルミネッセンス、ケミルミネッセンス（化学発光）、または、半導体レーザー等が使用されてもよい。また、発光部は、分光フィルター等によって所望の色の光を発してもよい。発光部は、照明制御に必要な制御（調光制御または調色制御）が可能な範囲で、どのように構成されてもよい。
【０１０９】
また、本発明の包括的または具体的な態様は、システム、方法、集積回路、コンピュータプログラムまたはコンピュータ読み取り可能なＣＤ−ＲＯＭなどの記録媒体で実現されてもよく、システム、方法、集積回路、コンピュータプログラムおよび記録媒体の任意な組み合わせで実現されてもよい。例えば、本発明は、照明制御方法として実現されてもよいし、照明制御方法をコンピュータに実行させるためのプログラムとして実現されてもよいし、上記実施の形態に係る制御部（制御装置）として実現されてもよい。
【０１１０】
また、本発明は、上記実施の形態に係る個室ユニットを備える移動体として実現されてもよい。移動体としては、例えば、図１２に示されるような航空機が例示されるが、移動体は、列車または船などの他の乗り物であってもよい。図１２は、航空機の外観図である。
【０１１１】
また、上記実施の形態において、制御部などの構成要素の全部または一部は、専用のハードウェアで構成されるか、各構成要素に適したソフトウェアプログラムを実行することによって実現されてもよい。各構成要素は、ＣＰＵまたはプロセッサなどのプログラム実行部が、ハードディスクまたは半導体メモリなどの記録媒体に記録されたソフトウェアプログラムを読み出して実行することによって実現されてもよい。
【０１１２】
また、上記各実施の形態において、特定の処理部が実行する処理を別の処理部が実行してもよい。また、複数の処理の順序が変更されてもよいし、複数の処理が並行して実行されてもよい。
【０１１３】
その他、各実施の形態に対して当業者が思いつく各種変形を施して得られる形態、または、本発明の趣旨を逸脱しない範囲で各実施の形態における構成要素及び機能を任意に組み合わせることで実現される形態も本発明に含まれる。
【符号の説明】
【０１１４】
１１  側壁
１２  天井材
１３  床材
２０  便器
３１  第一照明装置
３２、１３２ａ、１３２ｂ、２３２、３３２ａ、３３２ｂ  第二照明装置
３２ｂ  ＵＶ照射部
３３  第三照明装置
３３ｂ  受付部
４０  検知部
５０  制御部
６０  扉
６５  扉検出部
７０  鏡台
１００、１００ａ、１００ｂ、１００ｃ  個室ユニット
【図１Ａ】
0006618013.tif 000002
【図１Ｂ】
0006618013.tif 000003
【図２】
0006618013.tif 000004
【図３】
0006618013.tif 000005
【図４Ａ】
0006618013.tif 000006
【図４Ｂ】
0006618013.tif 000007
【図５】
0006618013.tif 000008
【図６】
0006618013.tif 000009
【図７】
0006618013.tif 000010
【図８】
0006618013.tif 000011
【図９Ａ】
0006618013.tif 000012
【図９Ｂ】
0006618013.tif 000013
【図１０Ａ】
0006618013.tif 000014
【図１０Ｂ】
0006618013.tif 000015
【図１１Ａ】
0006618013.tif 000016
【図１１Ｂ】
0006618013.tif 000017
【図１２】
0006618013.tif 000018